(57)【特許請求の範囲】
【請求項１】
ブルートゥース・ロー・エナジーの規格に従った近距離無線通信を行う通信ユニットにより情報を通信端末機器に配信する情報配信装置であって、
配信すべき情報を含み、スキャン・リクエスト信号の応答を許容する種類の応答許容型アドバタイズ信号をある規則に従って放送発信するように前記通信ユニットを制御するアドバタイズ信号発信制御手段と、
該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、
前記応答受信態様判定手段での判定結果として得られた前記スキャン・リクエスト信号の受信態様に応じた処理を実行する処理手段と、を有し、
前記処理手段は、前記通信ユニットでの前記スキャン・リクエスト信号の受信が無く、前記アドバタイズ信号発信制御手段の制御により前記通信ユニットから前記応答許容型アドバタイズ信号が所定の頻度で放送発信されている状態において、前記応答受信態様判定手段が前記スキャン・リクエスト信号の前記通信ユニットでの受信が少なくとも１回あったことを前記受信態様として判定した場合、前記アドバタイズ信号発信制御手段による前記通信ユニットの制御を、配信すべき情報を含み、スキャン・リクエスト信号の応答を許容しない種類の接続無しで且つ相手限定無しの応答非許容型アドバタイズ信号を放送発信するように、変えるアドバタイズ信号変更処理手段を有する情報配信装置。
【請求項２】
前記処理手段は、前記アドバタイズ信号発信制御手段による前記通信ユニットの制御を、前記応答許容型アドバタイズ信号の放送発信の前記所定の頻度より高い頻度で前記接続無しで且つ相手限定無しの応答非許容型アドバタイズ信号を放送発信するように、変える発信頻度変更処理手段を有する請求項１に記載の情報配信装置。
【請求項３】
前記通信ユニットから前記接続無しで且つ相手限定無しの応答非許容型アドバタイズ信号の放送発信が所定量継続されたときに、前記アドバタイズ信号発信制御手段による前記通信ユニットの制御を、前記応答許容型アドバタイズ信号を放送発信するように、戻すアドバタイズ信号復帰処理手段を有する請求項１に記載の情報配信装置。
【請求項４】
前記通信ユニットから前記接続無しで且つ相手限定無しの応答非許容型アドバタイズ信号の放送発信が所定量継続されたときに、前記アドバタイズ信号発信制御手段による前記通信ユニットの制御を、前記応答許容型アドバタイズ信号を前記所定の頻度で放送するように、戻す発信頻度復帰処理手段を有する請求項２に記載の情報配信装置。
【請求項５】
ブルートゥース・ロー・エナジーの規格に従った近距離無線通信を行う通信ユニットにより情報を通信端末機器に配信する情報配信装置であって、
配信すべき情報を含み、スキャン・リクエスト信号の応答を許容する種類の応答許容型アドバタイズ信号をある規則に従って放送発信するように前記通信ユニットを制御するアドバタイズ信号発信制御手段と、
該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、
前記応答受信態様判定手段での判定結果として得られた前記スキャン・リクエスト信号の受信態様に応じた処理を実行する処理手段と、を有し、
前記処理手段は、前記応答受信態様判定手段での判定結果として得られる前記通信ユニットでの前記スキャン・リクエスト信号の受信態様に応じて、前記アドバタイズ信号発信制御手段の制御により前記通信ユニットから放送発信される前記応答許容型アドバタイズ信号に含まれる前記配信されるべき情報の内容を変える処理を実行する配信情報変更処理手段を有する情報配信装置。
【請求項６】
ブルートゥース・ロー・エナジーの規格に従った近距離無線通信を行う通信ユニットにより情報を通信端末機器に配信する情報配信装置であって、
配信すべき情報を含み、スキャン・リクエスト信号の応答を許容する種類の応答許容型アドバタイズ信号をある規則に従って放送発信するように前記通信ユニットを制御するアドバタイズ信号発信制御手段と、
該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、
前記応答受信態様判定手段での判定結果として得られた前記スキャン・リクエスト信号の受信態様に応じた処理を実行する処理手段と、を有し、
前記応答受信態様判定手段は、前記通信ユニットで受信されるスキャン・リクエスト信号に含まれる識別情報にて特定される通信端末機器から当該スキャン・リクエスト信号が受信されたことを、前記スキャン・リクエスト信号の前記通信ユニットでの受信態様として、判定する応答送信元判定手段を有し、
前記処理手段は、前記応答送信元判定手段にて前記スキャン・リクエスト信号の受信態様の判定結果として得られた、前記スキャン・リクエスト信号に含まれる通信端末機器を特定する識別情報に応じて、前記アドバタイズ信号発信制御手段の制御による前記通信ユニットからの前記応答許容型アドバタイズ信号の放送発信の頻度を変える処理を行う第２の発信頻度変更処理手段を有する情報配信装置。
【請求項７】
予め通信端末機器を特定する識別情報を登録したリストを記憶する記憶部を有し、
前記第２の発信頻度変更処理手段は、前記応答送信元判定手段にて前記スキャン・リクエスト信号の受信形態の判定結果として得られた、前記スキャン・リクエスト信号に含まれる通信端末機器を特定する識別情報が前記記憶部に記憶されたリストに登録されているか否かに応じて前記通信ユニットからの前記応答許容型アドバタイズ信号の放送発信の頻度を変える処理を行う手段を有する請求項６に記載の情報配信装置。
【請求項８】
ブルートゥース・ロー・エナジーの規格に従った近距離無線通信を行う通信ユニットにより情報を通信端末機器に配信する情報配信装置であって、
配信すべき情報を含み、スキャン・リクエスト信号の応答を許容する種類の応答許容型アドバタイズ信号をある規則に従って放送発信するように前記通信ユニットを制御するアドバタイズ信号発信制御手段と、
該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、
前記応答受信態様判定手段での判定結果として得られた前記スキャン・リクエスト信号の受信態様に応じた処理を実行する処理手段と、を有し、
前記処理手段は、前記応答受信判定手段での判定結果として得られた前記スキャン・リクエスト信号の受信態様に応じて、前記アドバタイズ信号発信制御手段の制御による前記通信ユニットからの前記応答許容型アドバタイズ信号の発信強度を変える発信強度変更処理手段を有する情報配信装置。
【発明の詳細な説明】
【技術分野】
【０００１】
本発明は、ブルートゥース（登録商標：以下同様）・ロー・エナジー（Bluetooth（登録商標：以下同様） Low Energy）の規格に従った近距離無線通信により情報を通信端末機器に配信する情報配信装置に関する。
【背景技術】
【０００２】
従来、特許文献１に記載される位置情報サービスシステムが知られている。この位置情報サービスシステムでは、レストラン、ホテル等の施設内の所定の場所（例えば、入口）に電子タグ発信装置（情報配信装置）が設置されており、この電子タグ発信装置が、例えば、ブルートゥースの規格に従った近距離無線通信により、所定の識別情報、例えば、当該電子タグ発信装置に付与されたユニークな管理機器番号を放送（ブロードキャスト）している。スキャニング動作（監視動作）を行って前記電子タグ発信装置から放送される前記識別情報の受信を待つスマートフォン等の携帯情報端末は、前記識別情報を受信すると、その識別情報により特定されるアプリケーションをネットワーク上から取得する。そして、この携帯情報端末は、前記識別情報の受信時における受信電波強度（例えば、ＲＳＳＩ：Received Signal Strength Indicator）の計測を行い、その受信電波強度に応じて前記アプリケーションの実行制御を行う。
【先行技術文献】
【特許文献】
【０００３】
【特許文献１】特許第５６５０８７０号
【発明の概要】
【発明が解決しようとする課題】
【０００４】
ところで、上述した位置情報サービスシステムにおける電子タグ発信装置のように情報を配信する装置として、ブルートゥース・ロー・エナジーの規格（Bluetooth（登録商標）4.0規格の一部：以下、適宜、ＢＬＥという）に従った近距離無線通信を行う通信ユニットにより情報を通信端末機器に配信する情報配信装置が考えられる。このような情報配信装置は、例えば、ＢＬＥのアドバタイジングの通信形態を利用して、配信すべき情報を含むアドバタイズ信号を放送発信することにより、そのアドバタイズ信号を受信する通信端末機器に情報を配信することができる。
【０００５】
このような情報端末機器では、実際に配信された情報が通信端末機器に受信されているかどうかが判らないため、効率的な情報の配信が難しい。
【０００６】
本発明は、このような事情に鑑みてなれたもので、配信された情報が通信端末機器に受信されている状況が判るような情報配信装置を提供するものである。
【課題を解決するための手段】
【０００７】
本発明に係る情報配信装置は、ブルートゥース・ロー・エナジーの規格に従った近距離無線通信を行う通信ユニットにより情報を通信端末機器に配信する情報配信装置であって、配信すべき情報を含み、スキャン・リクエスト信号の応答を許容する種類の応答許容型アドバタイズ信号をある規則に従って放送発信するように前記通信ユニットを制御するアドバタイズ信号発信制御手段と、該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、前記応答受信態様判定手段での判定結果として得られた前記スキャン・リクエスト信号の受信態様に応じた処理を実行する処理手段と、を有し、前記処理手段は、前記通信ユニットでの前記スキャン・リクエスト信号の受信が無く、前記アドバタイズ信号発信制御手段の制御により前記通信ユニットから前記応答許容型アドバタイズ信号が所定の頻度で放送発信されている状態において、前記応答受信態様判定手段が前記スキャン・リクエスト信号の前記通信ユニットでの受信が少なくとも１回あったことを前記受信態様として判定した場合、前記アドバタイズ信号発信制御手段による前記通信ユニットの制御を、配信すべき情報を含み、スキャン・リクエスト信号の応答を許容しない種類の接続無しで且つ相手限定無しの応答非許容型アドバタイズ信号を放送発信するように、変えるアドバタイズ信号変更処理手段を有する構成となる。
【０００８】
このような構成によれば、ブルートゥース・ロー・エナジーの規格に従った近距離無線通信により通信ユニット（ペリフェラル）から配信すべき情報を含む応答許容型アドバタイズ信号（例えば、ADV_SCAN_INDのイベントタイプの信号）がある規則に従って放送発信される状況において、その応答許容型アドバタイズ信号に応答したスキャン・リクエスト信号の前記通信ユニットでの受信態様が判定される。
【０００９】
放送した応答許容型アドバタイズ信号に応答するスキャン・リクエスト信号を受信するということは、配信すべき情報を含む応答許容型アドバタイズ信号を受信した通信端末機器が存在したことを意味するので、ある規則に従って放送発信される応答許容型アドバタイズ信号に応答したスキャン・リクエスト信号の受信態様は、配信された情報が実際に通信端末機器により受信された状況を表し得る。
【００１０】
前記スキャン・リクエスト信号の受信態様は、スキャン・リクエスト信号の受信に係る態様であれば、スキャン・リクエスト信号自体の態様であっても、受信に係る態様であっても、特に限定されない。例えば、スキャン・リクエスト信号の受信が有ること、スキャン・リクエスト信号が無いこと、スキャン・リクエスト信号の受信回数（頻繁さ、閑散さ）、スキャン・リクエスト信号の受信の強さの態様を表す受信強度、スキャン・リクエスト信号をどの通信端末機器から受信したかということを表す情報等は、前記スキャン・リクエスト信号の受信態様に含み得る。そして、配信された情報が実際に通信端末機器により受信された状況を表し得るスキャン・リクエスト信号の受信態様に応じた処理がなされるので、配信された情報が実際に通信端末機器により受信された状況に応じた処理を行うことができるようになる。そして、通信ユニットでのスキャン・リクエスト信号の受信がなく、即ち、応答許容型アドバタイズ信号に含まれる配信情報を受信する通信端末機器が存在せず、応答許容型アドバタイズ信号が所定の頻度にて繰り返し放送発信されている状態において、スキャン・リクエストの通信ユニットでの受信が少なくとも１回あった場合、応答許容型アドバタイズ信号に代えて、配信すべき情報を含みスキャン・リクエスト信号の応答を許容しない種類の接続無しで且つ相手限定無しの応答非許容型アドバタイズ信号（例えば、ADV_NONCONN_INDのイベントタイプの信号）が放送発信されるようになる。スキャン・リクエスト信号の通信ユニットでの受信が少なくとも１回あったと判定された場合、即ち、配信情報を受信する通信端末機器が存在する状況であると判定された場合には、スキャン・リクエスト信号の応答を待つことなく、応答非許容型アドバタイズ信号を用いて効率的に情報を配信することができる。また、スキャン・リクエスト信号の待ち動作、受信動作等が省かれる分、省電力化を図ることができる。
【００２７】
本発明にかかる情報配信装置において、前記処理手段は、前記アドバタイズ信号発信制御手段による前記通信ユニットの制御を、前記応答許容型アドバタイズ信号の放送発信の前記所定の頻度より高い頻度で前記接続無しで且つ相手限定無しの応答非許容型アドバタイズ信号を放送発信するように、変える発信頻度変更処理手段を有する構成とすることができる。
【００２８】
このような構成によれば、配信情報を受信する通信端末機器が存在する状況であると判定された場合には、応答許容型アドバタイズ信号に代えて接続無しで且つ相手限定無しの応答非許容型アドバタイズ信号を用いて情報が配信されるとともに、その接続無しで且つ相手限定無しの応答非応答型アドバタイズ信号が前記応答許容型アドバタイズ信号の放送発信の頻度より高い頻度で放送発信されるので、更に、効率的に情報の配信を行うことができる。
【００２９】
本発明に係る情報配信装置において、前記通信ユニットから前記接続無しで且つ相手限定無しの応答非許容型アドバタイズ信号の放送発信が所定量継続されたときに、前記アドバタイズ信号発信制御手段による前記通信ユニットの制御を、前記応答許容型アドバタイズ信号を放送発信するように、戻すアドバタイズ信号復帰処理手段を有する構成とすることができる。
【００３０】
このような構成によれば、スキャン・リクエスト信号によって受信されたことが確認できない接続無しで且つ相手限定無しの応答非許容型アドバタイズ信号の放送発信が所定量継続された場合、その接続無しで且つ相手限定無しの応答非許容型アドバタイズ信号から、スキャン・リクエスト信号によって受信されたことが確認できる応答許容型アドバタイズ信号に復帰され、その応答許容型アドバタイズ信号が放送発信されるようになる。その復帰以後、スキャン・リクエスト信号の受信態様を判定することにより、配信された情報が実際に通信端末機器により受信された状況が判り得るようになる。
【００３１】
前記所定量は、回数及び時間のいずれで表すものであっても、双方で表すものであってもよい。
【００３２】
本発明に係る情報配信装置において、前記通信ユニットから前記接続無しで且つ相手限定無しの応答非許容型アドバタイズ信号の放送発信が所定量継続されたときに、前記アドバタイズ信号発信制御手段による前記通信ユニットの制御を、前記応答許容型アドバタイズ信号を前記所定の頻度で放送するように、戻す発信頻度復帰処理手段を有する構成とすることができる。
【００３３】
このような構成により、スキャン・リクエスト信号によって受信されたことが確認できない接続無しで且つ相手限定無しの応答非許容型アドバタイズ信号の放送発信が所定量継続された場合、その接続無しで且つ相手限定無しの応答非許容型アドバタイズ信号から、スキャン・リクエスト信号によって受信されたことが確認できる応答許容型アドバタイズ信号に復帰され、その応答許容型アドバタイズ信号が元の所定の頻度で放送発信されるようになる。
【００３４】
本発明に係る情報配信装置は、ブルートゥース・ロー・エナジーの規格に従った近距離無線通信を行う通信ユニットにより情報を通信端末機器に配信する情報配信装置であって、配信すべき情報を含み、スキャン・リクエスト信号の応答を許容する種類の応答許容型アドバタイズ信号をある規則に従って放送発信するように前記通信ユニットを制御するアドバタイズ信号発信制御手段と、該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、前記応答受信態様判定手段での判定結果として得られた前記スキャン・リクエスト信号の受信態様に応じた処理を実行する処理手段と、を有し、前記処理手段は、前記応答受信態様判定手段での判定結果として得られる前記通信ユニットでの前記スキャン・リクエスト信号の受信態様に応じて、前記アドバタイズ信号発信制御手段の制御により前記通信ユニットから放送発信される前記応答許容型アドバタイズ信号に含まれる前記配信されるべき情報の内容を変える処理を実行する配信情報変更処理手段を有する構成となる。
【００３５】
このような構成により、通信ユニットでのスキャン・リクエスト信号の受信態様が表し得る配信された情報が実際に通信端末機器により受信された状況に応じて、配信されるべき情報の内容を変えることができる。
【００３６】
本発明に係る情報配信装置は、ブルートゥース・ロー・エナジーの規格に従った近距離無線通信を行う通信ユニットにより情報を通信端末機器に配信する情報配信装置であって、配信すべき情報を含み、スキャン・リクエスト信号の応答を許容する種類の応答許容型アドバタイズ信号をある規則に従って放送発信するように前記通信ユニットを制御するアドバタイズ信号発信制御手段と、該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、前記応答受信態様判定手段での判定結果として得られた前記スキャン・リクエスト信号の受信態様に応じた処理を実行する処理手段と、を有し、前記応答受信態様判定手段は、前記通信ユニットで受信されるスキャン・リクエスト信号に含まれる識別情報にて特定される通信端末機器から当該スキャン・リクエスト信号が受信されたことを、前記スキャン・リクエスト信号の前記通信ユニットでの受信態様として、判定する応答送信元判定手段を有し、前記処理手段は、前記応答送信元判定手段にて前記スキャン・リクエスト信号の受信態様の判定結果として得られた、前記スキャン・リクエスト信号に含まれる通信端末機器を特定する識別情報に応じて、前記アドバタイズ信号発信制御手段の制御による前記通信ユニットからの前記応答許容型アドバタイズ信号の放送発信の頻度を変える処理を行う第２の発信頻度変更処理手段を有する構成となる。
【００３７】
このような構成によれば、配信情報を実際に受信している通信端末機器（識別情報にて特定される）にて応じて当該配信情報を含む応答許容型アドバタイズ信号の放送発信の頻度が変えられる。
【００３８】
本発明に係る情報配信装置において、予め通信端末機器を特定する識別情報を登録したリストを記憶する記憶部を有し、前記第２の発信頻度変更処理手段は、前記応答送信元判定手段にて前記スキャン・リクエスト信号の受信形態の判定結果として得られた、前記スキャン・リクエスト信号に含まれる通信端末機器を特定する識別情報が前記記憶部に記憶されたリストに登録されているか否かに応じて前記通信ユニットからの前記応答許容型アドバタイズ信号の放送発信の頻度を変える処理を行う手段を有する構成とすることができる。
【００３９】
このような構成により、配信情報を実際に受信している通信端末機器を特定する識別情報がリストに登録されているか否かに応じて、当該配信情報を含む応答許容型アドバタイズ信号の放送発信の頻度が変えられる。
【００４２】
本発明に係る情報配信装置は、ブルートゥース・ロー・エナジーの規格に従った近距離無線通信を行う通信ユニットにより情報を通信端末機器に配信する情報配信装置であって、配信すべき情報を含み、スキャン・リクエスト信号の応答を許容する種類の応答許容型アドバタイズ信号をある規則に従って放送発信するように前記通信ユニットを制御するアドバタイズ信号発信制御手段と、該アドバタイズ信号発信制御手段の制御により前記通信ユニットから発信される前記応答許容型アドバタイズ信号に応答したスキャン・リクエスト信号の前記通信ユニットでの受信態様を判定する応答受信態様判定手段と、前記応答受信態様判定手段での判定結果として得られた前記スキャン・リクエスト信号の受信態様に応じた処理を実行する処理手段と、を有し、前記処理手段は、前記応答受信判定手段での判定結果として得られた前記スキャン・リクエスト信号の受信態様に応じて、前記アドバタイズ信号発信制御手段の制御による前記通信ユニットからの前記応答許容型アドバタイズ信号の発信強度を変える発信強度変更処理手段を有する構成となる。
【００４３】
このような構成によれば、配信された情報が実際に通信端末機器により受信された状況を表し得るスキャン・リクエスト信号の受信態様に応じて、配信すべき情報を含む応答許容型アドバタイズ信号の発信強度が変えられるようになる。従って、例えば、スキャン・リクエスト信号が受信されないという当該スキャン・リクエスト信号の受信態様、即ち、前記配信すべき情報を含む応答許容型アドバタイズ信号を受信する通信端末機器が存在しない状況では、前記応答許容型アドバタイズ信号の発信強度が比較的低いものとされ、逆に、スキャン・リクエスト信号が少なくとも１回受信されるという当該スキャン・リクエスト信号の受信態様、即ち、前記配信すべき情報を含む応答許容型アドバタイズ信号を受信する通信端末機器が存在する状況では、前記応答許容型アドバタイズ信号の発信強度が比較的高いものとされる。これにより、応答許容型アドバタイズ信号の放送発信に必要な電力を節約しつつ、より確実に情報が通信端末機器にて受信されるように配信を行うことができる。
【発明の効果】
【００４４】
本発明によれば、ある規則に従って放送発信される応答許容型アドバタイズ信号に応答したスキャン・リクエスト信号の受信態様は、配信された情報が実際に通信端末機器により受信された状況を表し得るので、前記受信態様により、配信された情報が通信端末機器に受信されている状況を判ることができる。
【図面の簡単な説明】
【００４５】
【図１】本発明の実施の形態に係る情報配信装置（ビーコン機器）が適用される情報配信システムの基本的な構成を示す図である。
【図２】ビーコン機器の構成例を示すブロック図である。
【図３】携帯通信端末器（スマートフォン）の構成例を示すブロック図である。
【図４】ビーコン機器から送信可能なアドバタイズ信号を一覧的に示す図である。
【図５】ブルートゥース・ロー・エナジーの規格に従った近距離無線通信のアドバタイジングにおけるADV_IND信号（応答許容型アドバタイズ信号）、SCAN_REQ（スキャン・リクエスト）信号、SCAN_RSP（スキャン・レスポンス信号）の送受の手順を示すタイミングチャートである。
【図６】アドバタイズで送受される信号のデータ構造の一例を示す図である。
【図７Ａ】ADV_SCAN_IND信号のペイロードのデータ構造の一例を示す図である。
【図７Ｂ】SCAN_REQ信号のペイロードのデータ構造の一例例を示す図である。
【図７Ｃ】SCAN_RSP信号のペイロードのデータ構造の一例を示す図である。
【図８】アドバタイズ信号（ADV_SCAN_IND）の発信周期の第１の制御に係る処理の手順を示すフローチャートである。
【図９】図８に示す手順に従って発信周期が制御されるアドバタイズ信号（ADV_SCAN_IND）の発信状況の一例を示すタイミングチャートである。
【図１０】図８に示す手順に従って発信周期が制御されるアドバタイズ信号（ADV_SCAN_IND）の発信状況の他の一例を示すタイミングチャートである。
【図１１】アドバタイズ信号の発信切り替え制御に係る処理の手順を示すフローチャートである。
【図１２】図１１に示す手順に従って切り替え制御されるアドバタイズ信号の発信状況の一例を示すタイミングチャートである。
【図１３】図１１に示す手順に従って切り替え制御されるアドバタイズ信号の発信状況の他の一例を示すタイミングチャートである。
【図１４】アドバタイズ信号（ADV_SCAN_IND）の発信周期の第２の制御に係る処理の手順を示すフローチャートである。
【図１５】アドバタイズ信号（ADV_SCAN_IND）に応答したSCAN_REQ信号の送信元アドレスをリストに登録するための処理の手順を示すフローチャートである。
【図１６】アドバタイズ信号（ADV_SCAN_IND）の発信周期の第３の制御に係る処理の手順を示すフローチャートである。
【図１７】図１６に示す手順に従って送信元アドレスが登録されたリストを用いて図１５に示す手順に従って発信周期が制御されるアドバタイズ信号（ADV_SCAN_IND）の発信状況の一例を示すタイミングチャートである。
【図１８】アドバタイズ信号（ADV_SCAN_IND）に応答したスキャン・リクエスト信号（SCAN_REQ）のビーコン機器での受信態様に応じて外部機器のオン・オフ制御を行う処理の手順を示すフローチャートである。
【図１９】図１８に示す手順に従って制御される外部機器のオン・オフのタイミングと、アドバタイズ信号（ADV_SCAN_IND）及びそれに応答するスキャン・リクエスト信号（SCAN_REQ）の送受の状態とを示すタイミングチャートである。
【図２０】アドバタイズ信号（ADV_SCAN_IND）に応答したスキャン・リクエスト信号（SCAN_REQ）のビーコン機器での受信態様に応じて外部センサのオン・オフ制御と、アドバタイズ信号に含める情報の制御とを行う処理の手順を示すフローチャートである。
【発明を実施するための形態】
【００４６】
以下、本発明の実施の形態について図面を用いて説明する。
【００４７】
本発明の実施の一形態に係る情報配信装置が適用される情報配信システムは、図１に示すように構成される。
【００４８】
図１において、この情報配信システムは、ビーコンシステムであって、基本的に、例えば、施設の所定の場所に設置されるビーコン機器１０（情報配信装置）と、ビーコン機器１０から放送されるビーコン情報（配信情報）を受信することのできる携帯通信端末器２０（通信端末機器：例えば、スマートフォン）とから構成されている。ビーコン機器１０は、例えば、図２に示すように、ＣＰＵ等で構成される制御ユニット１１と、ＢＬＥ通信ユニット１２と、記憶ユニット１３とを有している。ＢＬＥ通信ユニット１２は、制御ユニット１１の制御のもと、ＢＬＥ（ブルートゥース・ロー・エナジー）の規格に従って近距離無線通信を行う。ビーコン機器１０側のＢＬＥ通信ユニット１２は、特に、ペリフェラル側機器（スレーブ側機器）として機能し、アドバタイジングにおいてビーコン情報を放送する。また、記憶ユニット１３は、制御ユニット１３での処理に必要な情報や、当該処理の結果得られた情報等を記憶する。
【００４９】
携帯通信端末器２０は、例えば、図３に示すように構成される。図３において、携帯通信端末器２０は、ＣＰＵ等で構成される制御ユニット２１、移動体通信ユニット２２、無線ＬＡＮ通信ユニット２３、ＢＬＥ通信ユニット２４、表示部２５、操作部２６及び記憶部２７を有している。制御ユニット２１は、記憶部２７に保存されたプログラム（アプリケーションを含む）を実行し、操作部２６での操作に従って、移動体通信ユニット２２、無線ＬＡＮ通信ユニット２３及びＢＬＥ通信ユニット２４それぞれの動作制御を行う。記憶部２７は、制御ユニット２１が実行する前記プログラムのほか、制御ユニット２１での処理に利用される各種情報、制御ユニット２１での処理により得られた各種情報等を格納する。表示部２５は、制御ユニット２１での制御のもと、各種情報を表示する。移動体通信ユニット２２は、制御ユニット２１での制御のもと、移動体通信網を介して他の通信端末（電話通信端末等）と音声やデータの送受を行なったり、各種情報機器（ＰＣ、サーバ等）とデータ通信を行なったりする。無線ＬＡＮ通信ユニット２３は、制御ユニット２１の制御のもと、無線ＬＡＮを介して各種情報機器とデータ通信を行う。ＢＬＥ通信ユニット２４は、制御ユニット２１での制御のもと、ＢＬＥの規格に従って他のＢＬＥ機器と近距離無線通信を行う。携帯通信端末器２０側のＢＬＥ通信ユニット２４は、特に、セントラル側機器（マスター機器）として機能し、ビーコン機器１０から前記アドバタイジングにおいて放送される配信データ（ビーコン情報）を受信することができる。
【００５０】
ビーコン機器１０は、ＢＬＥの規格に規定されるように、セントラル側機器に対するアドバタイジングにおいて、図４に示すアドバタイズ信号を放送発信することができる。アドバタイズ信号には、スキャン・リクエスト信号（SCAN_REQ）の応答を許容する種類の応答許容型アドバタイズ信号、具体的には、ADV_IND及びADV_SCAN_INDと、スキャン・リクエスト信号（SCAN_REQ）の応答を許容しない種類の応答非許容型アドバタイズ信号、具体的には、ADV_DIRECT_IND及びADV_NONCONN_INDとの２種類の信号がある。図５に示すように、ビーコン機器１０（ＢＬＥ通信ユニット１２：図２参照）が応答許容型アドバタイズ信号、例えば、ADV_INDを放送発信すると、ビーコン機器１０のＢＬＥ通信可能エリア内に存在して前記ADV_INDを受信した携帯通信端末器２０（ＢＬＥ通信ユニット２４：図３参照）は、ビーコン機器１０に宛ててスキャン・リクエスト信号（SCAN_REQ）を送信する。そして、そのスキャン・リクエスト信号を受信したビーコン機器１０（ＢＬＥ通信ユニット１２）は、更に、スキャン・レスポンス信号（SCAN_RSP）を携帯通信端末器２０に宛てて送信する。
【００５１】
なお、ビーコン機器１０が応答非許容型アドバタイズ信号、例えば、ADV_NONCONN_INDを放送発信する場合、携帯通信端末器２０は、その応答非許容型アドバタイズ信号を受信しても、スキャン・リクエスト信号（SCAN_REQ）等の応答信号をビーコン機器１０に宛てて送信することはない。
【００５２】
前記アドバタイズで送信し得る各信号は、例えば、図６に示すように、ヘッダとペイロードとで構成されている。ヘッダは、信号が、ADV_IND、ADV_DIRECT_IND、ADV_NONCONN_IND、SCAN_REQ、SCAN_RSP、CONNECT_REQ、ADV_SCAN_INDのいずれであるかを示すPUDタイプ（例えば、４ビット）の情報が含まれている。また、ペイロード、例えば、ADV_SCAN_IND（応答許容型アドバタイズ信号）のペイロードは、図７Ａに示すように、発信元となるビーコン機器１０のアドレスと配信データとを含み、その応答となるスキャン・リクエスト信号（SCAN_REQ）のペイロードは、図７Ｂに示すように、その発信元となる携帯通信端末器２０のアドレスとその宛先となるビーコン機器１０のアドレスとを含む。また、携帯通信端末器２０からのスキャン・リクエスト信号（SCAN_REQ）に応答してビーコン機器１０から携帯通信端末器２０に宛てて送信されるスキャン・レスポンス信号（SCAN_RSP）のペイロードは、図７Ｃに示すように、その送信元となるビーコン機器１０のアドレスと配信データとを含む。
【００５３】
このように、アドバタイズにおいて応答許容型アドバタイズ信号（例えば、ADV_SCAN_IND）を放送発信する場合、ビーコン機器１０は、当該応答許容型アドバタイズ信号（図７Ａ参照）と、スキャン・レスポンス信号（SCAN_RSP：図７Ｃ参照）とによって携帯通信端末器２０に情報（配信データ）を配信することができる。
【００５４】
上述したような情報配信システムにおいて、ビーコン機器１０（制御ユニット１１）は、例えば、図８に示す手順に従って、アドバタイズ信号（ADV_SCAN_IND）の発信周期、即ち、配信データの発信周期の切り替え制御（第１の制御）を行う。
【００５５】
図８において、制御ユニット１１は、ビーコン機器１０のアドレス及び配信データを含む応答許容型アドバタイズ信号（ADV_SCAN_IND：図７Ａ参照）をＢＬＥ通信ユニット１２からＢＬＥの規格に規定されるアドバタイジングにおいて５秒（ｓ）周期（第２の頻度）で放送発信させる（Ｓ１１：アドバタイズ信号発信制御手段）。これにより、ＢＬＥ通信ユニット１２からアドバタイズ信号（ADV_SCAN_IND）が５秒周期で放送発信される。この状態で、制御ユニット１１は、前記アドバタイズ信号（ADV_SCAN_IND）の応答であるスキャン・リクエスト信号（SCAN_REQ）をＢＬＥ通信ユニット１１が受信するか否かを繰り返し判定する（Ｓ１２：応答受信態様判定手段）。
【００５６】
ここで、ビーコン機器１０のＢＬＥ通信可能エリア内に、ＢＬＥ通信ユニット２４が有効に機能する状態（アクティブ・スキャンの状態）の携帯通信端末器２０が進入し、その携帯通信端末器２０（ＢＬＥ通信ユニット２４）がビーコン機器１０から放送発信されるアドバタイズ信号（ADV_SCAN_IND）を受信すると、携帯通信端末器２０は、その応答として、スキャン・リクエスト信号（SCAN_REQ：図７Ｂ参照）をビーコン機器１０（ビーコン機器１０のアドレス）に宛てて送信する。更に、携帯通信端末器２０は、前記アドバタイズ信号（ADV_SCAN_IND）に含まれる配信データを利用することができる。
【００５７】
前記アドバタイズ信号（ADV_SCAN_IND）を５秒周期で放送発信しているビーコン機器１０において、制御ユニット１１は、前記アドバタイズ信号（ADV_SCAN_IND）の応答であるスキャン・リクエスト信号（SCAN_REQ）がＢＬＥ通信ユニット１２により受信されたと判定すると、即ち、ＢＬＥ通信ユニット１２でのスキャン・リクエスト信号（SCAN_REQ）の受信が１回あったことを受信態様として判定すると（Ｓ１２でＹＥＳ）、追加的な配信データを含むスキャン・レスポンス信号（SCAN_RSP：図７Ｃ参照）がＢＬＥ通信ユニット１２から携帯通信端末器２０（携帯通信端末器２０のアドレス）に宛てて送信させる。
【００５８】
なお、ビーコン機器１０からの前記スキャン・レスポンス信号（SCAN_RSP）を受信した携帯通信端末器２０は、それに含まれる追加的な配信データも利用することができる。
【００５９】
そして、制御ユニット１１は、前記配信データを含むアドバタイズ信号（ADV_SCAN_IND）の発信周期を発信頻度がより高くなる１００ミリ秒（ｍｓ）周期に変更し、ＢＬＥ通信ユニット１２から前記アドバタイズ信号（ADV_SCAN_IND）を１００ミリ秒周期で放送発信させる（Ｓ１３：発信頻度増加処理手段：第１の発信頻度変更手段：処理手段）。このような制御ユニット１１の処理により、例えば、図９に示すように、ビーコン機器１０は、配信データを含むアドバタイズ信号（ADV_SCAN_IND）を５秒周期で放送発信している状態で、ＢＬＥ通信ユニット１２でのスキャン・リクエスト信号（SCAN_REQ）の受信が１回あったことを当該スキャン・リクエスト信号（SCAN_REQ）の受信態様として判定すると、より高い発信頻度となる１００ミリ秒周期で配信データを含む前記アドバタイズ信号（ADV_SCAN_IND）を放送発信するようになる。
【００６０】
以後、前記アドバタイズ信号（ADV_SCAN_IND）が１００ミリ秒周期（第１の頻度）で放送発信しているビーコン機器１０において、制御ユニット１１は、１０分（ｍｉｎ）タイマをスタートさせ（Ｓ１４）、スキャン・リクエスト信号（SCAN_REQ）がＢＬＥ通信ユニット１２により受信されたか否かを判定する（Ｓ１５：応答受信態様判定手段）。スキャン・リクエスト信号（SCAN_REQ）が受信されていないと判定したとき（Ｓ１５でＮＯ）、制御ユニット１１は、１０分タイマがタイムアップしたかどうかを判定し（Ｓ１６）、タイムアップしていなければ（Ｓ１６でＮＯ）、再度、スキャン・リクエスト信号（SCAN_REQ）が受信されたか否かを判定する（Ｓ１５）。このように、制御ユニット１１は、１０分タイマがタイムアップしたかどうかを確認しつつ（Ｓ１６）、スキャン・リクエスト信号（SCAN_REQ）が受信されたか否か（Ｓ１５）を繰り返し判定する。その過程で、スキャン・リクエスト信号（SCAN_REQ）が受信されたと判定されると（Ｓ１５でＹＥＳ）、制御ユニット１１は、１０分タイマをリスタートさせる（Ｓ１７）。以後、制御ユニット１１は、同様に、１０分タイマのタイムアップの確認（Ｓ１６）を行いつつ、スキャン・リクエスト信号（SCAN_REQ）がＢＬＥ通信ユニット１２により受信されたか否かの判定（Ｓ１５）を繰り返し行う。そして、スキャン・リクエスト信号（SCAN_REQ）が受信される（Ｓ１５でＹＥＳ）毎に、制御ユニット１１は、１０分タイマをリスタートさせる（Ｓ１７）。
【００６１】
上記の過程で、スキャン・リクエスト信号（SCAN_REQ）が受信されることなく１０分タイマがタイムアップすると、即ち、１０分間継続してスキャン・リクエスト信号（SCAN_REQ）してないことが、当該スキャン・リクエスト信号（SCAN_REQ）の受信態様として判定された場合（Ｓ１６でＹＥＳ）、制御ユニット１１は、前記配信データを含むアドバタイズ信号（ADV_SCAN_IND）の発信周期を発信頻度がより低くなる５秒周期に変更し、ＢＬＥ通信ユニット１２から前記アドバタイズ信号（ADV_SCAN_IND）を５秒周期で放送発信させる（Ｓ１１：発信頻度減少処理手段：第１の発信頻度変更処理手段：処理手段）。このような制御ユニット１１の処理により、例えば、図１０に示すように、ビーコン機器１０は、配信データを含むアドバタイズ信号（ADV_SCAN_IND）を１００ミリ秒周期で放送発信している状態で、スキャン・リクエスト信号（SCAN_REQ）信号の受信が継続して１０分間無いことを当該スキャン・リクエスト信号（SCAN_REQ）の受信態様として判定すると、より低い発信頻度となる５秒周期で配信データを含む前記アドバタイズ信号（ADV_SCAN_IND）を放送発信するようになる。
【００６２】
以後、前述したのと同様に、制御ユニット１１は、ＢＬＥ通信ユニット１２でのスキャン・リクエスト信号（SCAN_REQ）の受信態様（１回の受信があったという受信態様、及び１０分間受信が無かったという受信態様：Ｓ１２、Ｓ１６）に応じて、アドバタイズ信号（ADV_SCAN_IND）をＢＬＥ通信ユニット１２から放送発信させる発信周期（頻度）を、１００ミリ秒周期（高い頻度）と、５秒周期（低い頻度）との間で切り替える（Ｓ１３、Ｓ１１）。
【００６３】
放送したアドバタイズ信号（ADV_SCAN_IND）に応答するスキャン・リクエスト信号（SCAN_REQ）を受信するということは、配信データを含むアドバタイズ信号（ADV_SCAN_IND）を受信した携帯通信端末器２０が存在したことを意味する。従って、上述したような制御ユニット１１によるアドバタイズ信号（ADV_SCAN_IND）の発信周期の切り替え制御処理により、１０分間継続してスキャン・リクエスト信号（SCAN_REQ）のＢＬＥ通信ユニット１２での受信が無い場合、即ち、１０分間継続してアドバタイズ信号（ADV_SCAN_IND）に含まれる配信データを受信するような携帯通信端末器２０が存在しない状況では、アドバタイズ信号（ADV_SCAN_IND）の発信周期が低い発信頻度である５秒周期になり、１回でもスキャン・リクエスト信号（SCAN_REQ）の受信があれば、即ち、アドバタイズ信号（ADV_SCAN_IND）に含まれる配信データを受信するような携帯通信端末器２０が存在する状況では、アドバタイズ信号（ADV_SCAN_IND）の発信周期が高い発信頻度である１００ミリ秒周期になる。これにより、アドバタイズ信号（ADV_SCAN_IND）の放送発信に必要な電力を極力節約しつつ、より効率的に情報の配信を行うことができるようになる。
【００６４】
なお、前述した例では、スキャン・リクエスト信号（SCAN_REQ）の１回の受信で、アドバタイズ信号（ADV_SCAN_IND）の発信周期を高い発信頻度である１００ミリ秒周期に切り替え、また、スキャン・リクエスト信号（SCAN_REQ）が継続して１０分間受信されなかったときに、アドバタイズ信号（ADV_SCAN_IND）の発信周期を低い発信頻度である５秒周期に切り替えているが、発信周期（発信頻度）を切り替えるためのスキャン・リクエスト信号（SCAN_REQ）の受信態様の条件は、これに限定されず、種々決めることができる。また、切り替えられるアドバタイズ信号（ADV_SCAN_IND）の発信周期も、前述した１００ミリ秒周期と５秒周期に限定されず、アドバタイズ信号（ADV_SCAN_IND）の放送発信に必要な電力の節約、及び情報配信の効率等を考慮して種々決めることができる。
【００６５】
制御ユニット１１は、図８に示す手順に代えて、図１１に示す手順に従ってアドバタイズ信号の発信切り替えに係る処理を行うことができる。
【００６６】
図１１において、制御ユニット１１は、前述した例と同様に、応答許容型のアドバタイズ信号（ADV_SCAN_IND）をＢＬＥ通信ユニット１２から５秒周期で放送発信させた状態で（Ｓ２１：アドバタイズ信号発信制御手段）、その応答であるスキャン・リクエスト信号（SCAN_REQ）がＢＬＥ通信ユニット１２にて受信されたか否かを繰り返し判定している（Ｓ２２：応答受信態様判定手段）。ここで、スキャン・リクエスト信号（SCAN_REQ）が受信されると（Ｓ２２でＹＥＳ）、即ち、ビーコン機器１０（ＢＬＥ通信ユニット１２）から放送発信された配信データを含むアドバタイズ信号（ADV_SCAN_IND）を受信した携帯通信端末器２０が存在すると、制御ユニット１１は、前記応答許容型のアドバタイズ信号（ADV_SCAN_IND）に代えて、前記配信データを含み、スキャン・リクエスト信号（SCAN_REQ）の応答を許容しない種類の応答非許容型のアドバタイズ信号、例えば、アドバタイズ信号（ADV_NONCONN_IND）を、前記５秒の周期より高い発信頻度となる１００ミリ秒周期でＢＬＥ通信ユニット１２から放送発信させる（Ｓ２３：アドバタイズ信号変更処理手段・発信頻度変更処理手段）。なお、アドバタイズ信号（ADV_NONCONN_IND）のペイロードの構造は、アドバタイズ信号（ADV_SCAN_IND）のもの（図７Ａ参照）と基本的に同じである。
【００６７】
このような制御ユニット１１の処理により、例えば、図１２に示すように、ビーコン機器１０は、配信データを含むアドバタイズ信号（ADV_SCAN_IND）を５秒周期で放送発信している状態で、ＢＬＥ通信ユニット１２でのスキャン・リクエスト信号（SCAN_REQ）の受信が１回あったことを当該スキャン・リクエスト信号（SCAN_REQ）の受信態様として判定すると、前記応答許容型のアドバタイズ信号（ADV_SCAN_IND）に代えて、配信データを含み、応答非許容型のアドバタイズ信号（ADV_NONCONN_IND）を、より高い発信頻度となる１００ミリ秒周期で放送発信する。
【００６８】
その後、このように応答非許容型のアドバタイズ信号（ADV_NONCONN_IND）が１００ミリ秒周期でＢＬＥ通信ユニット１２から放送発信されている状況において、制御ユニット１１は、１０分タイマをスタートさせ（Ｓ２４）、その１０分タイマがタイムアップしたか否かを繰り返し判定する（Ｓ２５）。そして、１０分タイマがタイムアップすると（Ｓ２５でＹＥＳ）、制御ユニット１１は、応答非許容型のアドバタイズ信号（ADV_NONCONN_IND）から応答許容型のアドバタイズ信号（ADV_SCAN_IND）に戻して、配信データを含めたこのアドバタイズ信号（ADV_SCAN_IND）を、元の低い発信頻度の５秒周期でＢＬＥ通信ユニット１２から放送発信させる（Ｓ２１：アドバタイズ信号復帰処理手段・発信頻度復帰処理手段）。
【００６９】
このような制御ユニット１１の処理により、例えば、図１３に示すように、ビーコン機器１０は、配信データを含む応答非許容型のアドバタイズ信号（ADV_NONCONN_IND）を１０分間継続して高い発信頻度となる１００ミリ秒周期で放送発信すると、自動的に、前記応答非許容型のアドバタイズ信号（ADV_NONCONN_IND）から応答許容型のアドバタイズ信号（ADV_SCAN_IND）に復帰させ、配信データを含む前記応答許容型のアドバタイズ信号（ADV_SCAN_IND）をより低い発信頻度となる５秒周期で放送発信するようになる。
【００７０】
以後、前述したのと同様に、制御ユニット１１は、配信データを含むアドバタイズ信号（ADV_SCAN_IND）を低い発信頻度の５秒周期でＢＬＥ通信ユニット１２に放送発信させた（Ｓ２１）状態で、ＢＬＥ通信ユニット１２にてスキャン・リクエスト信号（SCAN_REQ）が受信される毎に、応答許容型の前記アドバタイズ信号（ADV_SCAN_IND）から応答非許容型のアドバタイズ信号（ADV_NONCONN_IND）に変えて、配信データを含めたそのアドバタイズ信号（ADV_NONCONN_IND）をＢＬＥ通信ユニット１２から１０分間にわたって高い発信頻度の１００ミリ秒周期で放送発信させる（Ｓ２３〜Ｓ２５）。
【００７１】
上述したような制御ユニット１１による配信データの配信に用いられるアドバタイズ信号の切り替え制御処理によれば、配信データを含むアドバタイズ信号（ADV_SCAN_INＤ）が低い発信頻度である５秒周期で繰り返し放送発信されている状態において、スキャン・リクエスト信号（SCAN_REQ）のＢＬＥ通信ユニット１２での受信が１回あって、アドバタイズ信号（ADV_SCAN_IND）を受信する携帯通信端末２０の存在が確認された場合、応答許容型であるアドバタイズ信号（ADV_SCAN_IND）に代えて、配信データを含む応答非許容型のアドバタイズ信号（ADV_NONCONN_INN）が放送発信されるようになる。従って、配信データを受信する携帯通信端末器２０が存在する状況であると判定された場合には、スキャン・リクエスト信号（SCAN_REQ）の応答を待つことなく、応答非許容型のアドバタイズ信号（ADV_NONCONN_IND）を用いて効率的に配信データを配信することができる。また、スキャン・リクエスト信号（SCAN_REQ）の待ち動作、受信動作等が省かれる分、省電力化を図ることができる。
【００７２】
また、上述したように、配信データを受信する携帯通信端末器２０が存在する状況であると判定された場合には、応答許容型のアドバタイズ信号（ADV_SCAN_IND）に代えて応答非許容型のアドバタイズ信号（ADV_NONCONN_IND）を用いて配信データが配信されるとともに、その応答非応答型のアドバタイズ信号（ADV_NONCONN_IND）が前記応答許容型のアドバタイズ信号（ADV_SCAN_IND）の放送発信の発信頻度（５秒周期）より高い頻度の発信周期（１００ミリ秒周期）で放送発信されるので、更に、効率的に配信データの配信を行うことができる。
【００７３】
そして、いつまでも応答非許容型のアドバタイズ信号（ADV_NONCONN_IND）を発信し続けることではなく、そのアドバタイズ信号（ADV_NONCONN_IND）が１０分間継続して放送発信されると、自動的に、スキャン・リクエスト信号（SCAN_REQ）によって受信されたことが確認できる応答許容型のアドバタイズ信号（ADV_SCAN_INＤ）に復帰され、そのアドバタイズ信号（ADV_SCAN_INＤ）が放送発信されるようになるので、配信データが実際に携帯通信端末器２０によって受信されたかが判らない状況で当該配信データが配信され続けてしまうことを防止することができる。
【００７４】
なお、アドバタイズ信号を切り替えるためのスキャン・リクエスト信号（SCAN_REQ）の受信態様の条件は、これに限定されず、種々決めることができ、また、切り替えられるアドバタイズ信号（ADV_SCAN_IND）の発信周期も、前述した１００ミリ秒周期と５秒周期に限定されず、情報配信の効率等を考慮して種々決めることができる。また、放送発信すべきアドバタイズ信号を応答非許容型のアドバタイズ信号（ADV_NONCONN_IND）から自動的に応答許容型のアドバタイズ信号（ADV_SCAN_IND）に復帰させるまでの時間は、１０分間に限定されず、適宜設定することができる。
【００７５】
また、前述した例では、スキャン・リクエスト信号（SCAN_REQ）の受信態様（１回の受信、１０分間継続して受信されない）に応じて、アドバタイズ信号（ADV_SCAN_INDまたはADV_NONCONN_IND）の発信周期を切り替えるものであったが、その発信周期を、アドバタイズ信号（ADV_SCAN_INND）の発信とアドバタイズ信号（ADV_NONCONN_IND）の発信とで、切り替えなくてもよい。
【００７６】
ビーコン機器１０（制御ユニット１１）は、例えば、図１４に示す手順に従って、アドバタイズ信号（ADV_SCAN_IND）の発信周期、即ち、配信データの発信周期の切り替え制御（第２の制御）を行うことができる。この例では、配信データを含むアドバタイズ信号（ADV_SCAN_IND）を受信する相手（携帯通信端末器）に応じて、当該アドバタイズ信号（ADV_SCAN_IND）の発信周期が切り替え制御される。
【００７７】
ビーコン機器１０では、例えば、必ず配信データを入手することを望むユーザの携帯通信端末器２０を特定するアドレス（識別情報）を登録したリストが記憶ユニット１３（図２参照）に記憶されている。
【００７８】
図１４において、制御ユニット１１は、配信データを含むアドバタイズ信号（ADV_SCAN_IND）をＢＬＥ通信ユニット１２から低い発信頻度となる５秒周期で放送発信させた状態で（Ｓ３１）、その応答であるスキャン・リクエスト信号（SCAN_REQ）がＢＬＥ通信ユニット１２で受信されたか否か（Ｓ３２）を繰り返し判定する（Ｓ３２）。ここで、スキャン・リクエスト信号（SCAN_REQ）が受信されると（Ｓ３２でＹＥＳ）、即ち、ビーコン機器（ＢＬＥ通信ユニット１２）から放送発信された配信データを含むアドバタイズ信号（ADV_SCAN_IND）を受信した携帯通信端末器２０が存在すると、制御ユニット１１は、更に、受信されたスキャン・リクエスト信号（SCAN_REQ：図７Ｂ参照）に含まれる、当該スキャン・リクエスト信号（SCAN_REQ）の発信元である携帯通信端末器２０のアドレス（識別情報）が、記憶ユニット１３に記憶された前記リストに登録されているか否かを判定する（Ｓ３３）。登録されていない場合（Ｓ３３でＮＯ）、制御ユニット１１は、アドバタイズ信号（ADV_SCAN_IND）の５秒周期での放送発信を維持させつつ、スキャン・リクエスト信号（SCAN_REQ）が受信されたか否かを判定する（Ｓ３２）。
【００７９】
このように、受信されるスキャン・リクエスト信号（SCAN_REQ）の発信元のアドレスが前記リストに登録されていない場合（Ｓ３３でＮＯ）には、配信データを含むアドバタイズ信号（ADV_SCAN_IND）の５秒周期での放送発信が維持される。そして、その状態において、受信されたスキャン・リクエスト信号（SCAN_REQ）の発信元のアドレスが前記リストに登録されていると（Ｓ３３でＹＥＳ：応答送信元判定手段）、即ち、前記リストに登録されたアドレスにて特定される携帯通信端末器２０によって配信データを含むアドバタイズ信号（ADV_SCAN_IND）が受信されている状況では、制御ユニット１１は、前記配信データを含むアドバタイズ信号（ADV_SCAN_IND）の発信周期を発信頻度がより高い１００ｍ秒周期に変更し、ＢＬＥ通信ユニット１２から前記アドバタイズ信号（ADV_SCAN_IND）を１００ミリ秒周期で放送発信させる（Ｓ３４：第２の発信頻度変更処理手段）。
【００８０】
そして、制御ユニット１１は、１０分タイマをスタートさせ（Ｓ３５）、前記リストに登録されたアドレスにて特定される携帯通信端末器２０からスキャン・リクエスト信号（SCAN_REQ）を受信したと判定する（Ｓ３６でＹＥＳ）毎に、前記１０分タイマをリスタートさせて（Ｓ３７）、配信データを含むアドバタイズ信号（ADV_SCAN_IND）を高い発信頻度の１００ミリ秒周期でＢＬＥ通信ユニット１２から放送発信する状態を維持させる。ここで、前記リストに登録されたアドレスにて特定される携帯通信端末器２０からのスキャン・リクエスト信号（SCAN_REQ）が受信されない状態（Ｓ３６でＮＯ）が１０分間継続すると（Ｓ３８でＮＯ）、即ち、前記リストに登録されたアドレスにて特定される携帯通信端末器２０によって配信データが１０分間継続して受信されていない状況であると、制御ユニット１１は、前記配信データを含むアドバタイズ信号（ADV_SCAN_IND）の発信周期を発信頻度がより低い５秒周期に変更し、ＢＬＥ通信ユニット１２から前記アドバタイズ信号（ADV_SCAN_IND）を５秒周期で放送発信させる（Ｓ３１：第２の発信頻度変更処理手段）。
【００８１】
以後、同様に、前記リストに登録されたアドレスで特定される携帯通信端末器２０からスキャン・リクエスト信号（SCAN_REQ）信号を受信すると（Ｓ３２ＹＥＳ、Ｓ３３ＹＥＳ）、配信データを含むアドバタイズ信号（ADV_SCAN_IND）を高い発信頻度の１００ミリ秒周期で放送配信し（Ｓ３４）、該アドバタイズ信号（ADV_SCAN_IND）が１００ミリ秒周期で放送配信されている状況において、前記リストに登録されたアドレスにて特定される携帯通信端末２０から１０分間継続して前記スキャン・リクエスト信号（SCAN_REQ）を受信しない状況（Ｓ３５〜Ｓ３８）では、前記アドバタイズ信号（ADV_SCAN_IND）が低い発信頻度の５秒周期で放送配信される。
【００８２】
上述したような制御ユニット１１によるアドバタイズ信号（ADV_SCAN_IND）の発信周期の切り替え制御処理により、リストに登録されたアドレスで特定される、例えば、必ず配信データを入手することを望むユーザの携帯通信端末器２０からのスキャン・リクエスト信号（SCAN_REQ）がＢＬＥ通信ユニット１２で受信されている場合には、即ち、そのように配信データを入手することを望むユーザの携帯通信端末器２０が配信データを受信している状況では、当該配信データを含むアドバタイズ信号（ADV_SCAN_IND）が高い発信頻度の１００ミリ秒周期で放送発信される。一方、前記リストに登録されていないアドレスで特定される携帯通信端末からのスキャン・リクエスト信号（SCAN_REQ）がＢＬＥ通信ユニット１２で受信されている場合、あるいは、スキャン・リクエスト信号（SCAN_REQ）が全く受信されない場合には、前記配信データを含むアドバタイズ信号（ADV_SCAN_IND）が低い発信頻度の５秒周期で放送発信される。
【００８３】
従って、ビーコン機器１０のＢＬＥ通信可能エリア内に、必ず配信データを入手することを望むユーザの携帯通信端末器２０が存在する場合には、アドバタイズ信号（ADV_SCAN_IND）の発信頻度が高くなって（例えば、１００ミリ秒周期）、そのアドバタイズ信号（ADV_SCAN_IND）に含まれる配信データがより確実に携帯通信端末２０にて受信できるようになる。一方、ビーコン機器１０のＢＬＥ通信可能エリア内に、必ず配信データを入手することを望むかどうか不明なユーザの携帯通信端末器２０が存在する場合、あるいは、全く携帯通信端末器２０が存在しない状況では、消費電力を抑えた低い発信頻度の５秒周期でアドバタイズ信号（ADV_SCAN_IND）が放送発信される。その結果、省電力化を図りつつ、より効率的に情報の配信が可能になる。
【００８４】
ビーコン機器１０では、例えば、ビーコン機器１０のＢＬＥ通信可能エリア内に異常に長く滞在して、放送発信されるアドバタイズ信号（ADV_SCAN_IND）を異常に長い時間受信している携帯通信端末を特定するアドレスを登録したリストを記憶ユニット１３に記憶させおくことができる。そのような携帯通信端末器のアドレスは、例えば、図１５に示す手順に従ってリストに登録される。
【００８５】
図１５において、配信データを含むアドバタイズ信号（ADV_SCAN_IND）が、例えば、比較的発信頻度が高い１００ミリ秒周期で放送発信されている状態で、制御ユニット１１は、前記アドバタイズ信号（ADV_SCAN_IND）に対する同じアドレス（例えば、AA:BB:CC）で特定される携帯通信端末器からの応答であるスキャン・リクエスト信号（SCAN_REQ）が、例えば、１０秒間で１回以上の頻度で受信されるか否かを判定する（Ｓ４１）。前記スキャン・リクエスト信号（SCAN_REQ）がそのような頻度で受信されない場合（Ｓ４１でＮＯ）、制御ユニット１１は、１時間タイマをリセットして（Ｓ４２）、再度、同じ携帯通信端末器からのスキャン・リクエスト信号（SCAN_REQ）が、前記頻度にて受信されるか否かを判定する（Ｓ４１）。
【００８６】
このように、制御ユニット１１は、１０秒間で１回以上の頻度では同じ携帯通信端末器からのスキャン・リクエスト信号（SCAN_REQ）が受信されないことを確認する（Ｓ４１でＮＯ）毎に、１時間タイマをリセットする（Ｓ４２）ことを繰り返す。その過程で、同じ携帯通信端末器からのスキャン・リクエスト信号（SCAN_REQ）が１０秒間で１回以上の頻度で受信されると（Ｓ４１でＹＥＳ）、制御ユニット１１は、前記１時間タイマを、経過時間分、例えば、１０秒間分をカウントアップさせ（Ｓ４３）、その１時間タイマがタイムアウトしたか否かを判定する（Ｓ４４）。以後、１時間タイマがタイムアウトしない状況において、１０秒間で１回以上の頻度で同じ携帯通信端末器からのスキャン・リクエスト信号（SCAN_REQ）を受信する（Ｓ４１でＹＥＳ）毎に、制御ユニット１１は、１時間タイマを経過時間分カウントアップする（Ｓ４３）一方、１０秒間で１以上の頻度で同じ携帯端末器からのスキャン・リクエスト信号（SCAN_REQ）を受信できない場合（Ｓ４１でＮＯ）、前記１時間タイマをリセットする（Ｓ４２）。上記の処理の過程において、前記１時間タイマがタイムアップすると（Ｓ４４でＹＥＳ）、制御ユニット１１は、前記スキャン・リクエスト信号（SCAN_REQ）の送信元である携帯通信端末器を特定するアドレス（識別情報）を記憶ユニット１３に記憶されたリストに登録する（Ｓ４５）。
【００８７】
上記のようにして、例えば、図１７に示すように、ビーコン機器１０のＢＬＥ通信可能領域に異常に長く滞在して、例えば、１時間連続的に滞在して、１００ミリ秒周期でビーコン機器１０から放送発信されるアドバタイズ信号（ADV_SCAN_IND）を受信し、それに応答してスキャン・リクエスト信号（SCAN_REQ）を送信し続ける携帯通信端末器を特定するアドレス（例えば、AA:BB:CC：識別情報）がリストに登録される。
【００８８】
上記のようにして携帯通信端末器のアドレスが登録されたリストを用いて、制御ユニット１１は、例えば、図１６に示す手順に従って、アドバタイズ信号（ADV_SCAN_IND）の発信周期、即ち、配信データの発信周期の切り替え制御（第３の制御）を行うことができる。この例でも、図１４に示す手順に従ったアドバタイズ信号（ADV_SCAN_IND）の発信周期の制御と同様に、配信データを含むアドバタイズ信号（ADV_SCAN_IND）を受信する相手（携帯通信端末器）に応じて、当該アドバタイズ信号（ADV_SCAN_IND）の発信周期が切り替え制御される。
【００８９】
前述した図１４に示す手順では、スキャン・リクエスト信号（SCAN_REQ）が受信された際に、そのスキャン・リクエスト信号（SCAN_REQ）の送信元である携帯通信端末器を特定するアドレスがリストに登録されている場合に、配信データを含むアドバタイズ信号（ADV_SCAN_IND）の発信周期を高い発信頻度の周期（例えば、１００ミリ秒周期）に切り替えるものであったが、図１６に示す手順では、スキャン・リクエスト信号（SCAN_REQ）が受信された際に、そのスキャン・リクエスト信号（SCAN_REQ）の送信元である携帯通信端末器を特定するアドレスがリストに登録されていない場合に、配信データを含むアドバタイズ信号（ADV_SCAN_IND）の発信周期を高い発信頻度の周期（例えば、１００ミリ秒周期）に切り替えるものである。
【００９０】
図１６において、図１４に示す手順と同様に、ＢＬＥ通信ユニット１２にて配信データを含むアドバタイズ信号（ADV_SCAN_IND）が低い発信頻度の５秒周期で放送発信されている状態（Ｓ３１）で、制御ユニット１１は、その応答としてスキャン・リクエスト信号（SCAN_REQ）が受信されると（Ｓ３２でＹＥＳ）、そのスキャン・リクエスト信号（SCAN_REQ）の送信元の携帯通信端末器２０を特定するアドレスがリストに登録されているか否かを判定する（Ｓ３３ａ）。前記送信元の携帯端末通信器２０のアドレスが前記リストに登録されていなければ（Ｓ３３ａでＮＯ）、制御ユニット１１は、図１４に示す手順と同様に、前記配信データを含むアドバタイズ信号（ADV_SCAN_IND）の発信周期を発信頻度がより高い１００ｍ秒周期に変更し、ＢＬＥ通信ユニット１２から前記アドバタイズ信号（ADV_SCAN_IND）を１００ミリ秒周期で放送発信させる（Ｓ３４：第２の発信頻度変更処理手段）。
【００９１】
そして、制御ユニット１１は、１０分タイマをスタートさせ（Ｓ３５）、アドレスが前記リストに登録されていないと判定された前記携帯通信端末器２０から継続的にスキャン・リクエスト信号（SCAN_REQ）が受信される状況では、配信データを含むアドバタイズ信号（ADV_SCAN_IND）を高い発信頻度の１００ミリ秒周期でＢＬＥ通信ユニット１２から放送発信する状態を維持させる（Ｓ３６、Ｓ３７、Ｓ３８）。一方、アドレスが前記リストに登録されていないと判定された前記携帯通信端末器２０からのスキャン・リクエスト信号（SCAN_REQ）が受信されない状態（Ｓ３６でＮＯ）が１０分間継続すると（ＳでＮＯ）、制御ユニット１１は、前記配信データを含むアドバタイズ信号（ADV_SCAN_IND）の発信周期を発信頻度がより低い５秒周期に変更し、ＢＬＥ通信ユニット１２から前記アドバタイズ信号（ADV_SCAN_IND）を５秒周期で放送発信させる（Ｓ３１：第２の発信頻度変更処理手段）。
【００９２】
そして、ＢＬＥ通信ユニット１１で受信されるスキャン・リクエスト信号（SCAN_REQ）が受信された際に（Ｓ３２でＹＥＳ）、その送信元の携帯通信端末を特定するアドレスが前記リストに登録されていると（Ｓ３３ａでＹＥＳ）、制御ユニット１１は、前記配信データを含むアドバタイズ信号（ADV_SCAN_IND）が低い発信頻度の５秒周期で放送発信される状態を維持させる。
【００９３】
上述したように、図１６に示す手順に従った配信データを含むアドバタイズ信号（ADV_SCAN_IND）の発信周期の切り替え制御によれば、スキャン・リクエスト信号（SCAN_REQ）の送信元の携帯通信端末器２０のアドレスがリストに登録されていない場合、前記アドバタイズ信号（ADV_SCAN_IND）が高い発信頻度の１００ミリ秒周期で放送発信される。一方、図１７に示すように、スキャン・リクエスト信号（SCAN_REQ）の送信元の携帯通信端末器２０のアドレス（例えば、AA:BB:CC）がリストに登録されている場合、前記アドバタイズ信号（ADV_SCAN_IND）が低い発信頻度の５秒周期で放送発信される。
【００９４】
前記リストに登録されているアドレスは、ビーコン機器１０のＢＬＥ通信可能エリア内に異常に長く滞在して、放送発信されるアドバタイズ信号（ADV_SCAN_IND）を異常に長い時間受信している携帯通信端末器を特定している。即ち、リストに登録されたアドレスで特定される携帯通信端末器は、本来の配信データを受信するためにビーコン機器１０のＢＬＥ通信可能エリアに滞在するものではない、と見なし得る。従って、図１６に示す手順に従った配信データを含むアドバタイズ信号（ADV_SCAN_IND）の発信周期の切り替え制御によれば、ビーコン機器１０のＢＬＥ通信可能エリア内に配信データを受信する携帯通信端末器が滞在している状態であっても、その携帯通信端末器のアドレスがリストに登録されて、当該携帯通信端末器が本来の配信データを受信するためにビーコン機器１０のＢＬＥ通信可能エリアに滞在するものではない、と見なし得る場合には、配信データを含むアドバタイズ信号（ADV_SCAN_IND）は、高い発信頻度ではなく、低い発信頻度の５秒周期で放送発信される。その結果、アドバタイズ信号（ADV_SCAN_IND）の放送発信に係る電力消費の無駄を極力抑えることができる。
【００９５】
ビーコン機器１０の制御ユニット１１は、図１８に示す手順に従って、照明灯、センサ類等の外部機器のオン・オフ制御を行うことができる。この場合、外部機器の動作の影響を受ける領域（例えば、照明領域、センサの感知領域等）とビーコン機器１０のＢＬＥ通信可能エリアとがオーバーラップしている。
【００９６】
図１８において、外部機器がオフ状態（Ｓ５１）で、制御ユニット１１は、ＢＬＥ通信ユニット１２にアドバタイズ信号（ADV_SCAN_IND）を所定の周期、例えば、１００ミリ秒周期で放送発信させる（Ｓ５２）。このようにしてＢＬＥ通信ユニット１２からアドバタイズ信号（ADV_SCAN_IND）が１００ミリ秒周期で繰り返し放送発信されている状態で、制御ユニット１１は、前記アドバタイズ信号（ADV_SCAN_IND）の応答となるスキャン・リクエスト信号（SCAN_REQ）がＢＬＥ通信ユニット１２により受信されたか否かを繰り返し判定している（Ｓ５３）。ここで、ビーコン機器１０のＢＬＥ通信可能エリア内に進入して、そのビーコン機器１０（ＢＬＥ通信ユニット１２）から放送発信される前記アドバタイズ信号（ADV_SCAN_IND）を受信した携帯通信端末器２０から送信されるスキャン・リクエスト信号（SCAN_REQ）がＢＬＥ通信ユニット１２にて受信されたことを当該スキャン・リクエスト信号（SCAN_REQ）の受信態様として判定すると（Ｓ５３でＹＥＳ）、制御ユニット１１は、前記外部機器をオンさせる（Ｓ５４：動作制御手段）。
【００９７】
その後、制御ユニット１１は、１分タイマをスタートさせ（Ｓ５５）、スキャン・リクエスト信号（SCAN_REQ）が受信されたか否かを判定する（Ｓ５６）。ここで、１つのスキャン・リクエスト信号（SCAN_REQ）が受信されたことを当該スキャン・リクエスト信号（SCAN_REQ）の受信態様として判定すると（Ｓ５６でＹＥＳ）、即ち、ビーコン機器１０のＢＬＥ通信可能エリア内に携帯通信端末機器２０が存在していると、制御ユニット１１は、１分タイマをリスタートさせる（Ｓ５７）。そして、スキャン・リクエスト信号（SCAN_REQ）が受信されている（Ｓ５６でＹＥＳ）間、１分タイマが繰り返しリスタートされる（Ｓ５７）。このように、スキャン・リクエスト信号（SCAN_REQ）が受信されている間、即ち、ビーコン機器１０のＢＬＥ通信可能エリア内に携帯通信端末機器２０が存在している状態で、外部機器はオン状態が維持される。一方、スキャン・リクエスト信号（SCAN_REQ）がＢＬＥ通信ユニット１２により受信されない（Ｓ５６でＮＯ）状態が１分間継続すると（Ｓ５８でＹＥＳ）、制御ユニット１１は、前記外部機器をオフさせる（Ｓ５１：動作制御手段）。以後、前述したのと同様の手順に従って、制御ユニット１１は、外部機器のオン・オフの動作制御を行う。
【００９８】
上述したような外部機器のオン・オフの動作制御により、図１９に示すように、ビーコン機器１０のＢＬＥ通信可能エリア内に携帯通信端末器２０が存在して、１００ミリ周期で放送発信されるアドバタイズ信号（ADV_SCAN_IND）に応答してスキャン・リクエスト信号（SCAN_REQ）が受信されると、外部機器がオンされる。一方、１００ミリ秒周期で放送発信される前記アドバタイズ信号（ADV_SCAN_IND）に応答したスキャン・リクエスト信号（SCAN_REQ）が１分間継続して受信されない、即ち、ビーコン機器１０のＢＬＥ通信可能エリア内に携帯通信端末機器２０が存在しない状態が継続して１分間継続すると、前記外部機器がオフされる。
【００９９】
上述したような照明灯やセンサ等の外部機器のオン・オフの動作制御によれば、その外部機器の動作の影響を受ける領域内に携帯通信端末機器２０を所持した人が存在すれば、前記外部機器がオンされ、そのような領域内に携帯通信端末機器を所持した人が存在しなければ、前記外部機器がオフされる。従って、外部機器の省電力化を図ることができる。
【０１００】
ビーコン機器１０の制御ユニット１１は、図２０に示す手順に従って、外部センサのオン・オフの動作制御及び該外部センサでの検出値の配信制御を行うことができる。
【０１０１】
図２０において、外部センサのパワーがオフされた状態（Ｓ６１）で、制御ユニット１１は、ＢＬＥ通信ユニット１２にアドバタイズ信号（ADV_SCAN_IND）を所定の周期、例えば、１００ミリ秒周期で放送発信させる（Ｓ６２）。このようにしてＢＬＥ通信ユニット１２からアドバタイズ信号（ADV_SCAN_IND）が１００ミリ秒周期で繰り返し放送発信されている状態で、制御ユニット１１は、前記アドバタイズ信号（ADV_SCAN_IND）の応答となるスキャン・リクエスト信号（SCAN_REQ）がＢＬＥ通信ユニット１２により受信されたか否かを繰り返し判定している（Ｓ６３）。ここで、ビーコン機器１０のＢＬＥ通信可能エリア内に進入して、そのビーコン機器１０（ＢＬＥ通信ユニット１２）から放送発信される前記アドバタイズ信号（ADV_SCAN_IND）を受信した携帯通信端末器２０から送信されるスキャン・リクエスト信号（SCAN_REQ）がＢＬＥ通信ユニット１２にて受信されたことを当該スキャン・リクエスト信号（SCAN_REQ）の受信態様として判定すると（Ｓ５３でＹＥＳ）、制御ユニット１１は、前記外部センサのパワーをオンさせる（Ｓ６４：動作制御手段）。
【０１０２】
そして、制御ユニット１１は、外部センサから出力される検出信号が表す値（以下、検出値という）を取得し（Ｓ６５）、その検出値をアドバタイズ信号（ADV_SCAN_IND）のペイロード（図６及び図７Ａ参照）における所定の位置に設定する（Ｓ６６）。これにより、前記外部センサから出力される検出値を配信データとして含むアドバタイズ信号（ADV_SCAN_IND）が前記１００ミリ秒周期で繰り返し放送発信される。そして、ビーコン機器１０のＢＬＥ通信可能エリアに存在して前記アドバタイズ信号（ADV_SCAN_IND）受信する携帯通信端末器２０は、前記検出値を利用することができる。
【０１０３】
その後、制御ユニット１１は、スキャン・リクエスト信号（SCAN_REQ）が受信されたか否かを判定する（Ｓ６７）。ここで、１つのスキャン・リクエスト信号（SCAN_REQ）が受信されたことを当該スキャン・リクエスト信号（SCAN_REQ）の受信態様として判定すると（Ｓ６７でＹＥＳ）、即ち、ビーコン機器１０のＢＬＥ通信可能エリア内に携帯通信端末機器２０が存在していると、制御ユニット１１は、１分タイマをリスタートさせる（Ｓ６８）。そして、スキャン・リクエスト信号（SCAN_REQ）が受信されている（Ｓ５６でＹＥＳ）間、１分タイマのリスタート（Ｓ６８）、外部センサからの検出値取得（Ｓ６５）、前記検出値のアドバタイズ信号（ADV_SCAN_IND）への設定（Ｓ６６）が繰り返し実行される。それにより、１００ミリ秒周期で放送発信されるアドバタイズ信号（ADV_SCAN_IND）に含まれる検出値が更新される。一方、スキャン・リクエスト信号（SCAN_REQ）がＢＬＥ通信ユニット１２により受信されない（Ｓ５６でＮＯ）状態が１分間継続すると（Ｓ６９でＹＥＳ）、制御ユニット１１は、前記外部センサのパワーをオフさせる（Ｓ６１：動作制御手段）。以後、前述したのと同様の手順に従って、制御ユニット１１は、外部センサのパワーのオン・オフの動作制御及びアドバタイズ信号（ADV_SCAN_IND）に含まれる検出値の更新が行われる。
【０１０４】
上述したような外部センサのパワーのオン・オフ制御によれば、ビーコン機器１０のＢＬＥ通信可能エリア内に携帯通信端末器２０が存在している状況では、外部センサのパワーがオンされ、その外部センサの検出信号に基づいた検出値がアドバタイズ信号（ADV_SCAN_IND）に含められて、携帯通信端末機器２０に配信される。一方、ビーコン機器１０のＢＬＥ通信可能エリア内に携帯通信端末器２０が存在しない状況では、外部センサのパワーがオフされ、その外部センサの検出信号に基づいた検出値のアドバタイズ信号（ADV_SCAN_IND）を利用した配信は行われない。従って、外部センサの省電力化を図るとともに、外部センサの検出信号に基づいた検出値を効率的に配信することができる。
【０１０５】
なお、上述した各例では、アドバタイズ信号（ADV_SCAN_IND）の受信態様に応じて何らかの処理を行うものであったが、本発明はそれに限定されない。その受信態様を表す情報を単に提示する、あるいは、所定の通信ネットワークを介してサーバ等の上位装置に提供するようにしてもよい。この受信態様に基づいて、アドバタイズ信号（ADV_SCAN_IND）、即ち、それに含まれる配信データが携帯通信端末器２０に受信されている状況を判断することができるようになる。
【０１０６】
また、前記スキャン・リクエスト信号（SCAN_REQ）のＢＬＥ通信ユニット１２での受信態様は、前述したものに限定されない。
【０１０７】
制御ユニット１１は、例えば、ＢＬＥ通信ユニット１２で受信されるスキャン・リクエスト信号（SCAN_REQ）の受信強度（ＲＳＳＩ：Received Signal Strength Indicator）を、当該スキャン・リクエスト信号（SCAN_REQ）の受信態様として判定する（受信強度判定手段）ことができる。このスキャン・リクエスト信号（SCAN_REQ）の受信強度は、そのスキャン・リクエスト信号を発信する携帯通信端末器２０のビーコン機器１０からの距離に対応し得る。従って、その受信強度（受信形態）から、配信データがビーコン機器１０からどのくらいの距離範囲に存在する携帯通信端末によって受信されているかを確認することができる。制御ユニット１１は、その受信強度（受信態様）に応じて、例えば、アドバタイズ信号（ADV_SCAN_IND）に含めるべき配信データの内容を変える、アドバタイズ信号（ADV_SCAN_IND）の発信周期を変える等の処理を行うことができる（処理手段）。
【０１０８】
制御ユニット１１は、例えば、ＢＬＥ通信ユニット１２にてスキャン・リクエスト信号（SCAN_REQ）が受信される回数を、当該スキャン・リクエスト信号（SCAN_REQ）の受信態様として判定する（応答回数判定手段）ことができる。この場合、その回数（受信回数）により、ビーコン機器１０から配信される配信データがどの程度の量の携帯通信端末器によって受信されているかを確認することができる。制御ユニット１１は、そのスキャン・リクエスト信号（SCAN_REQ）の回数（受信態様）に応じて、アドバタイズ信号（ADV_SCAN_IND）の発信周期を変える等の処理を行うことができる（処理手段）。
【０１０９】
制御ユニット１１は、スキャン・リクエスト信号（SCAN_REQ）のＢＬＥ通信ユニット１２での受信態様、例えば、前述したスキャン・リクエスト信号（SCAN_REQ）の受信強度に応じて、あるいは、前述したスキャン・リクエスト信号に含まれる識別情報にて特定される通信端末機器から当該スキャン・リクエスト信号が受信されたか否かに応じて、アドバタイズ信号（ADV_SCAN_IND）に含めるべき配信データの内容を変えること（配信情報変更手段）ができる。
【０１１０】
更に、制御ユニット１１は、例えば、前記スキャン・リクエスト信号（SCAN_REQ）の受信態様、例えば、スキャン・リクエスト信号（SCAN_REQ）の受信の有無に応じて、アドバタイズ信号（ADV_SCAN_IND）の発信強度を変える（発信強度変更処理手段）ことができる。例えば、スキャン・リクエスト信号（SCAN_REQ）がＢＬＥ通信ユニット１２にて受信されない状況、即ち、配信データを含むアドバタイズ信号（ADV_SCAN_IND）を受信する携帯通信端末器２０が存在しない場合、制御ユニット１１は、アドバタイズ信号（ADV_SCAN_IND）を比較的低い発信強度で放送発信し、スキャン・リクエスト信号（SCAN_REQ）がＢＬＥ通信ユニット１２にて少なとも１回受信された状況、即ち、配信データを含むアドバタイズ信号（ADV_SCAN_IND）を受信する携帯通信端末器２０が存在する場合、制御ユニット１１は、アドバタイズ信号（ADV_SCAN_IND）を比較的高い発信強度で放送発信する。このような制御によれば、省電力化を図りつつ、確実に配信データを携帯通信端末器２０に配信することができる。
【産業上の利用可能性】
【０１１１】
以上、説明したように、本発明に係る情報配信装置は、配信された情報が通信端末機器に受信されている状況が判断できるという効果を有し、ＢＬＥの規格に従った近距離無線通信により情報を通信端末機器に配信する情報配信装置として有用である。
【符号の説明】
【０１１２】
１０  ビーコン機器（情報配信装置）
１１  制御ユニット
１２  通信ユニット
１３  記憶ユニット
２０  携帯通信端末器（通信端末機器：スマートフォン）
２１  制御ユニット
２２  移動体通信ユニット
２３  無線ＬＡＮ通信ユニット
２４  ＢＬＥ通信ユニット
２５  表示部
２６  操作部
２７  記憶部
【図１】
0006608204.tif 000002
【図２】
0006608204.tif 000003
【図３】
0006608204.tif 000004
【図４】
0006608204.tif 000005
【図５】
0006608204.tif 000006
【図６】
0006608204.tif 000007
【図７Ａ】
0006608204.tif 000008
【図７Ｂ】
0006608204.tif 000009
【図７Ｃ】
0006608204.tif 000010
【図８】
0006608204.tif 000011
【図９】
0006608204.tif 000012
【図１０】
0006608204.tif 000013
【図１１】
0006608204.tif 000014
【図１２】
0006608204.tif 000015
【図１３】
0006608204.tif 000016
【図１４】
0006608204.tif 000017
【図１５】
0006608204.tif 000018
【図１６】
0006608204.tif 000019
【図１７】
0006608204.tif 000020
【図１８】
0006608204.tif 000021
【図１９】
0006608204.tif 000022
【図２０】
0006608204.tif 000023